(57)【要約】【課題】組立後の収納容器で皿部材が下方に抜け出てしまわぬ構造にし、ハカマ部材のデザインが制約されたり、組立が面倒でコストがかかるということのない収納容器を提供する。【解決手段】組立後の収納容器で皿部材が下方に抜け出てしまわぬようにするという目的を、内筒部材の切り割り溝の皿部材の下降時に係合ピンが螺旋溝によって押しつけられる側の下方部に皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより、皿部材の係合ピンが皿部材上昇時には小突起部を乗り越え可能ではあるが皿部材下降時には小突起部を乗り越え不能であるようにするという手段を用いている。【選択図】        図２
2005027708.tif 000002
【特許請求の範囲】
【請求項１】
下部に下端部まで達する軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とから構成される口紅等の収納容器において、内筒部材の切り割り溝の皿部材の下降時に係合ピンが螺旋溝によって押しつけられる側の下方部に形成された皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより、皿部材の係合ピンが皿部材上昇時には小突起部を乗り越え可能ではあるが皿部材下降時には小突起部を乗り越え不能であるように構成した口紅等の収納容器。
【請求項２】
下部に下端部まで達する軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とから構成される口紅等の収納容器において、内筒部材の切り割り溝の皿部材の下降時に係合ピンが螺旋溝によって押しつけられない側の下方部に形成された皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより、皿部材の係合ピンが皿部材上昇時には小突起部を乗り越え可能ではあるが皿部材下降時には小突起部を乗り越え不能であるように構成した口紅等の収納容器。
【請求項３】
内筒部材の切り割り溝の小突起とは反対側の小突起と対応する部位には皿部材の係合ピンが小突起を乗り越えしやすくするための凹部が形成されていることを特徴とする請求項１あるいは請求項２記載の口紅等の収納容器。
【請求項４】
皿部材の係合ピンの下部には内筒部材の切り割り溝に係合されるがラセン部材の螺旋溝とは係合しない突状部を形成し、皿部材を皿部材の係合ピンが小突起によって係止される位置に位置させたときの内筒部材の切り割り溝の小突起とは反対側の皿部材の突状部と対応する部位には皿部材の突状部を小突起側に案内する案内部が形成されていることを特徴とする請求項１ないし請求項３記載の口紅等の収納容器。
【請求項５】
ラセン部材にはその下端部より小突起の係合ピン係止部より上面まで達する開拡溝を形成し、ラセン部材の下部外径を押し広げることができるように構成したことを特徴とする請求項１ないし請求項４記載の口紅等の収納容器。
【発明の詳細な説明】
【０００１】
【発明が属する技術分野】
本発明は口紅などの化粧料を収納する口紅等の収納容器に関するものである。
【０００２】
【従来の技術】
従来の口紅等の収納容器は下部に下端部まで達する軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とで構成されていた。
【０００３】
【発明が解決しようとする課題】
このように構成された従来の口紅等の収納容器は内筒部材と皿部材をセットすることができるように内筒部材の切り割り溝及びラセン部材の螺旋溝は下端部まで達するように構成されているが、組立後の収納容器では皿部材が下方に抜け出てしまわぬように内筒部材の下部をハカマ部材の底面で押さえるようにする必要があった。そのためハカマ部材の全長を長くすることができずデザインが制約されてしまうものであった。
そのためデザイン上どうしてもハカマ部材を長くする場合にはハカマ部材内に別部材を挿入して皿部材が下方に抜け出てしまわぬように別部材で押さえる必要があり、組立が面倒でコストがかかるという欠点があった。
【０００４】
本発明は以上のような従来の欠点に鑑み、デザインが制約されたり、組立が面倒でコストがかかるということのない口紅等の収納容器を提供することを目的としている。
【０００５】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【０００６】
【課題を解決するための手段】
上記課題を解決するため、本発明は下部に下端部まで達する軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とから構成される口紅等の収納容器において、内筒部材の切り割り溝の皿部材の下降時に係合ピンが螺旋溝によって押しつけられる側の下方部に形成された皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより、皿部材の係合ピンが皿部材上昇時には小突起部を乗り越え可能ではあるが皿部材下降時には小突起部を乗り越え不能であるように構成する手段を用いている。
【０００７】
あるいは内筒部材の切り割り溝の皿部材の下降時に係合ピンが螺旋溝によって押しつけられない側の下方部に形成された皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより、皿部材の係合ピンが皿部材上昇時には小突起部を乗り越え可能ではあるが皿部材下降時には小突起部を乗り越え不能であるように構成する手段を用いている。
【０００８】
【発明の実施の形態】
組立後の収納容器で皿部材が下方に抜け出てしまわぬようにするという目的を、内筒部材の下方部に形成された皿部材の係合ピンを係止できる係合ピン係止部を上面に形成した小突起と、皿部材の係合ピンの前記小突起と対応する部位に小突起によって係止される係止部を形成したことから構成される皿抜け出し防止機構を形成することにより実現した。
【０００９】
【実施例】
以下、図面に示す実施例により本発明を詳細に説明する。
図１ないし図４に示す発明の第１の実施例において、１は上下が開口された筒状の内筒部材で、この内筒部材１の下部には下端部まで達する軸心方向の切り割り溝２が少なくとも１本形成されている。
【００１０】
３は前記内筒部材１の切り割り溝２が形成された部位を回動可能ではあるが内筒部材１を抜け出し不能に覆う筒状に形成されたラセン部材で、このラセン部材３の内部には下端部まで達する螺旋溝４が形成されている。この内筒部材１にラセン部材３を抜け出し不能とする方法にはいろいろな手段が考案されているがいずれの手段でも良く、図の説明では内筒部材１のほぼ中央部に環状に形成した膨出部５をラセン部材３の上部に形成した凹溝６でくわえ込むことで内筒部材１を抜け出し不能とする手段について説明している。また、本発明の構造に一般的に使用される螺旋溝４は左ネジであるので、図の説明も螺旋溝４が左ネジのものについて説明する。
【００１１】
７は化粧料１７を収納して前記内筒部材１内に上下移動可能に形成された皿部材で、この皿部材７の下部外面には前記内筒部材１の切り割り溝２及びラセン部材３の螺旋溝４と係合する係合ピン８が形成され、内筒部材１とラセン部材３を回動させることで内筒部材１内で皿部材７を上下移動可能としている。この皿部材７の係合ピン８は切り割り溝２の幅よりも若干小径となるように形成されている。
【００１２】
９はラセン部材３の外周を抜け出し不能でさらに回動不能に覆うハカマ部材である。このハカマ部材９は図の説明ではハカマ部材本体１０とその上部に固定された蓋嵌合部が形成された嵌合部材本体１１より構成されるものとしてあるが、これに限らずハカマ部材本体１０と嵌合部材本体１１が１部品で形成されたものであっても良い。
【００１３】
２９は皿抜け出し防止機構で、この皿抜け出し防止機構２９は内筒部材１の切り割り溝２の下方部に形成された小突起１２と、皿部材７の係合ピン８の前記小突起１２と対応する部位に形成された係止部１５より構成される。
【００１４】
この小突起１２は切り割り溝２の幅を皿部材７の係合ピン８の外径よりも狭くするもので、皿部材７の下降時に係合ピン８が螺旋溝４によって押しつけられる側（図の説明では向かって左側）の側面に形成されている。その小突起１２の上面には皿部材７の係合ピン８を係止できる係合ピン係止部１３がほぼ水平な面として形成されているものについて説明しているが、図４に示すように係合ピン係止部１３が切り割り溝２となす鈍角の角度（図４の角度Ａ）は、螺旋溝４が切り割り溝２となす鈍角の角度（図４の角度Ｂ）よりも小さいものであれば良い。さらにその小突起１２の下面は暖斜面１４に形成され皿部材７を内筒部材１にセットする際には皿部材７の係合ピン８が切り割り溝２の幅を押し広げることで小突起１２部を乗り越え可能としている。
【００１５】
１５は前記小突起１２と対応する部位に形成された皿部材７の係合ピン８の係止部で、この係止部１５は前記小突起１２によって皿部材７の下降時に係合ピン８が小突起１２を乗り越えることなく係止される形状に構成されている。図の説明ではこの係止部１５は、丸形状の係合ピン８の一部を切り欠くことで形成したものについて説明してあるが、係止部１５が形成されているものであれば係合ピン８の形状はこれに限るものではない。
【００１６】
１８はハカマ部材９に形成された蓋嵌合部と着脱自在に嵌合する蓋である。
【００１７】
このように構成された化粧料収納容器３０においては、容器を組み立てる際にはラセン部材３の上部より内筒部材１の下部を挿入してセットする。次に皿部材７を内筒部材１の下部より挿入するが、その際には皿部材７の係合ピン８が暖斜面１４と当接して切り割り溝２の幅を押し広げることで小突起１２を乗り越え、小突起１２より上部の切り割り溝２内へ進入し、同時に係合ピン８が螺旋溝４と係合して内筒部材１とラセン部材３を回動させることで皿部材７は上昇できるようになる。次にハカマ部材９をセットすることで組立が完了する。
【００１８】
次に皿部材７を繰り下げる際には、皿部材７の下降時に皿部材７の係合ピン８がラセン部材３の螺旋溝４によって押しつけられる側（図の説明では向かって左側）に押しつけられるので、皿部材７の係合ピン８は螺旋溝４によって押しつけられる側に押しつけられながら下降する。そして係合ピン８の係止部１５が小突起１２の係合ピン係止部１３と当接し、皿抜け出し防止機構２９の作用により係合ピン８が小突起１２を乗り越えることなく、内筒部材１から皿部材７が抜け出してしまうことがなくなる。
【００１９】
以上の説明及び図では皿抜け出し防止機構２９は内筒部材１の切り割り溝２、および皿部材７の係合ピン８はそれぞれ１本のものについて説明したが、本発明は２本のものであっても良く、その場合は皿抜け出し防止機構２９は両側にあっても良いが片側だけに形成されているものでもよい。
【００２０】
【発明の異なる実施例】
次に本発明の異なる実施例につき説明する。なお、これらの説明にあたって前記発明の第１の実施例と同一構成部分には同一符号を付して重複する説明を省略する。
【００２１】
図５に示す発明の第２の実施例において、前記発明の第１の実施例と主に異なる点は、皿抜け出し防止機構２９Ａを構成する小突起１２Ａの係合ピン係止部１３Ａと係合ピン８Ａの係止部１５Ａで、この係合ピン係止部１３Ａは角度が水平よりやや上向きに形成されていて、さらに係止部１５Ａも係合ピン係止部１３Ａと同一形状に構成したもので、このように構成することで皿部材７の下降時に係合ピン８が小突起１２Ａを乗り越えることをより確実に防止することができる。このような皿抜け出し防止機構２９Ａとしても良い。
【００２２】
図６ないし図７に示す発明の第３の実施例において、前記発明の第１の実施例と主に異なる点は皿抜け出し防止機構２９Ｂで、この皿抜け出し防止機構２９Ｂは内筒部材１の切り割り溝２Ｂの小突起１２とは反対側の小突起１２と対応する部位に皿部材７の上昇時に係合ピン８が小突起を１２を乗り越えしやすくするための凹部１６を付加形成したものである。この凹部１６は切り割り溝２Ｂの一部を切り欠くことで形成している。このような皿抜け出し防止機構２９Ｂとしても良い。
【００２３】
図８ないし図９に示す発明の第４の実施例において、前記発明の第１の実施例と主に異なる点は皿抜け出し防止機構２９Ｃで、この皿抜け出し防止機構２９Ｃは、内筒部材１の皿部材７の下降時に係合ピン８Ｃが螺旋溝４によって押しつけられない側の切り割り溝２Ｃの下方部に形成された小突起１２Ｃと、皿部材７の係合ピン８Ｃの前記小突起１２Ｃと対応する部位に形成された係止部１５Ｃより構成される。
【００２４】
この小突起１２Ｃは皿部材７の下降時に係合ピン８Ｃが螺旋溝４によって押しつけられない側（図の説明では向かって右側）の側面に形成されていて、その小突起１２Ｃの上面には皿部材７の係合ピン８Ｃを係止できる係合ピン係止部１３Ｃが形成されているが、図９に示すように係合ピン係止部１３Ｃが切り割り溝２Ｃとなす鋭角の角度（図９の角度Ａ）は、螺旋溝４が切り割り溝２Ｃとなす鋭角の角度（図９の角度Ｂ）よりも小さいものであるほうが望ましい。このような皿抜け出し防止機構２９Ｃとしても良い。
【００２５】
図１０ないし図１１に示す発明の第５の実施例において、前記発明の第４の実施例と主に異なる点は皿抜け出し防止機構２９Ｄで、この皿抜け出し防止機構２９Ｄは第３の実施例に示す凹部１６Ｄを付加形成した点と皿部材７の係合ピン８Ｃを小突起１２Ｃ側に案内する構造を付加したもので、皿部材７の係合ピン８Ｃの下部に形成された突状部１９と、内筒部材１の切り割り溝２Ｄの小突起１２Ｃとは反対側に案内部２０を付加形成したものである。
【００２６】
この皿部材７の突状部１９は係合ピン１３Ｃの下部に形成され、切り割り溝２Ｄの小突起１２Ｃとは反対側になるように形成されるが、その外径はラセン部材３の螺旋溝４とは係合しないが内筒部材１の切り割り溝２Ｄには係合される寸法のものであり、また幅は小突起１２Ｃに触れないものであり、さらにその上部は上へ向かって縮径となるテーパー面２１とされている。
【００２７】
内筒部材１の切り割り溝２Ｄに形成される案内部２０は、小突起１２Ｃとは反対側の皿部材７を皿部材７の係合ピン８Ｃが小突起１２Ｃによって係止される位置に位置させたときに皿部材７の突状部１９と接して皿部材７の係合ピン８Ｃを小突起１２Ｃの方へ案内することのできる位置及び形状に形成されている。
【００２８】
このように構成されたこのような皿抜け出し防止機構２９Ｄの皿部材７を内筒部材１にセットする際には皿部材７の係合ピン８Ｃが切り割り溝２Ｄの幅を押し広げることで小突起１２Ｃ部を乗り越え可能で、さらに皿部材７の突状部１９は、上部が上へ向かって縮径となるテーパー面２１とされているので、内筒部材１内部へ潜り込むことで案内部２０を通過可能となるように構成される。このような皿抜け出し防止機構２９Ａとすることで皿部材７が下方に抜け出してしまうことをより確実に防止することができる。
【００２９】
図１２ないし図１４に示す発明の第６の実施例において、前記発明の第１の実施例と主に異なる点はラセン部材３Ｅで、このラセン部材３Ｅにはその下端部より少なくとも小突起１２の係合ピン係止部１３より上部の、係合ピン８が小突起１２の乗り越えが完了する位置まで達する開拡溝２２が形成されている。この開拡溝２２は容器を組み立てやすくするもので、容器を組み立てるときには皿部材７の係合ピン８が切り割り溝２の幅を押し広げることで小突起１２を乗り越えるが、その際には内筒部材１の外径が若干広くなる。それにともなってラセン部材３Ｅの下方部の外径も広がることができるようにするものである。さらに組立が進んでハカマ部材をセットした後ではラセン部材３Ｅの外面はハカマ部材９の内面で広がることができないよう押さえられるので開拡溝２２が形成されていても繰り出しの作動には影響がなく、このようにすることでより容器が組み立てやすくした化粧品収納容器３０Ｅとしてもよい。
【００３０】
また、この開拡溝２２は図の説明では螺旋溝４と同一角度としてあるがこれに限らず、ラセン部材３Ｅの軸心方向に形成されたものであっても良い。
【００３１】
【発明の効果】
本発明は以上説明したように構成されているので、以下に記載されるような効果を奏する。
【００３２】
（１）組立後の収納容器では皿部材が下方に抜け出てしまわぬように内筒部材の下部をハカマ部材の底面で押さえるようにする必要がなく、ハカマ部材を長くすることができるので、デザインが制約されてしまうことがない。
【００３３】
（２）デザイン上ハカマ部材を長くする場合にもハカマ部材内に別部材を挿入して皿部材が下方に抜け出てしまわぬようにする必要がなく、組立が面倒でコストがかかるということがない。
【図面の簡単な説明】
【図１】発明の断面説明図である。（実施例１）
【図２】発明の主要部材の説明図、及び部分拡大図である。（実施例１）
【図３】発明の主要部材の斜視図である。（実施例１）
【図４】発明の主要部材の説明図である。（実施例１）
【図５】発明の主要部材の説明図、及び部分拡大図である。（実施例２）
【図６】発明の主要部材の説明図、及び部分拡大図である。（実施例３）
【図７】発明の主要部材の斜視図である。（実施例３）
【図８】発明の主要部材の説明図、及び部分拡大図である。（実施例４）
【図９】発明の主要部材の説明図である。（実施例４）
【図１０】発明の主要部材の説明図、及び部分拡大図である。（実施例５）
【図１１】発明の主要部材の斜視図である。（実施例５）
【図１２】発明の断面説明図である。（実施例６）
【図１３】発明の主要部材の説明図、及び部分拡大図である。（実施例６）
【図１４】発明の主要部材の斜視図である。（実施例６）
【符号の説明】
１    内筒部材
２、２Ｂ、２Ｃ、２Ｄ    切り割り溝
３、３Ｅ    ラセン部材
４    螺旋溝
５    膨出部
６    凹溝
７    皿部材
８、８Ａ、８Ｃ    係合ピン
９    ハカマ部材
１０  ハカマ部材本体
１１  蓋嵌合部材本体
１２、１２Ａ、１２Ｃ  小突起
１３、１３Ａ、１３Ｃ  係合ピン係止部
１４  暖斜面
１５、１５Ａ，１５Ｃ  係止部
１６、１６Ｄ  凹部
１７  化粧料
１８  蓋
１９  突状部
２０  案内部
２１  テーパー面
２２  開拡溝
２９、２９Ａ、２９Ｂ、２９Ｃ、２９Ｄ  皿抜け出し防止機構
３０、３０Ｅ  化粧料収納容器
【図１】
2005027708.tif 000003
【図２】
2005027708.tif 000004
【図３】
2005027708.tif 000005
【図４】
2005027708.tif 000006
【図５】
2005027708.tif 000007
【図６】
2005027708.tif 000008
【図７】
2005027708.tif 000009
【図８】
2005027708.tif 000010
【図９】
2005027708.tif 000011
【図１０】
2005027708.tif 000012
【図１１】
2005027708.tif 000013
【図１２】
2005027708.tif 000014
【図１３】
2005027708.tif 000015
【図１４】
2005027708.tif 000016